(57)【要約】【課題】建造物と一体の壁面でありながら、収納される内容物を集中的に温度管理することができる内壁構造を備えた建造物を提供する。【解決手段】本発明の建造物は、部屋を区画する壁と、前記壁と一体に配置され、且つ、第１の管状構造物と第２の管状構造物とを備えた内壁と、前記部屋に配置される空調装置とを有し、前記第１の管状構造物は、前記部屋に配置される予定の第１の収納具の配置予定位置に第１の通気孔を備え、前記第１の管状構造物に前記空調装置から吹き込まれた気体が実質的に途中漏れなく前記第１の通気孔から吹き出され、前記第２の管状構造物は、前記部屋に配置される予定の第２の収納具の配置予定位置に第２の通気孔を備え、前記第２の管状構造物に前記空調装置から吹き込まれた気体が実質的に途中漏れなく前記第２の通気孔から吹き出されることを特徴とする。【選択図】図２
2012112626.tif 000002
【特許請求の範囲】
【請求項１】
部屋を区画する壁と、
前記壁と一体に配置され、且つ、第１の管状構造物と第２の管状構造物とを備えた内壁と、
前記部屋に配置される空調装置と
を有し、
前記第１の管状構造物は、前記部屋に配置される予定の第１の収納具の配置予定位置に第１の通気孔を備え、前記第１の管状構造物に前記空調装置から吹き込まれた気体が実質的に途中漏れなく前記第１の通気孔から吹き出され、
前記第２の管状構造物は、前記部屋に配置される予定の第２の収納具の配置予定位置に第２の通気孔を備え、前記第２の管状構造物に前記空調装置から吹き込まれた気体が実質的に途中漏れなく前記第２の通気孔から吹き出されることを特徴とする建造物。
【請求項２】
前記内壁は第３の管状構造物と第４の管状構造物とをさらに備え、
前記第３の管状構造物は、前記第１の収納具の配置予定位置に第３の通気孔を備え、
前記第４の管状構造物は、前記第１の収納具の配置予定位置の外部に配置され、
前記第４の管状構造物に前記空調装置から吹き込まれた気体が実質的に途中漏れなく前記第３の通気孔から吹き出されることを特徴とする請求項１に記載の建造物。
【請求項３】
前記第１の管状構造物と前記第２の管状構造物は積層されて配置され、
前記第１の管状構造物は、前記第２の収納具の配置予定位置に形成された第４の通気孔と、前記第１の通気孔と前記第４の通気孔との間を塞ぐ封口材をさらに備え、
前記第２の管状構造物に前記空調装置から吹き込まれた気体が実質的に途中漏れなく前記第２の通気孔を介して前記第４の通気孔から吹き出されることを特徴とする請求項１に記載の建造物。
【請求項４】
前記空調装置は、冷房または暖房を行うことを特徴とする請求項１乃至請求項３のいずれか一項に記載の建造物。
【請求項５】
前記内壁は、前記壁のうち床部分の壁に配置されることを特徴とする請求項４に記載の建造物。
【請求項６】
前記第１の管状構造物と前記第２の管状構造物は、複数の床レールを用いて形成されることを特徴とする請求項５に記載の建造物。
【請求項７】
前記建造物は、船舶、航空機、列車、倉庫、コンテナ、自動車の荷台のいずれかであることを特徴とする請求項６に記載の建造物。
【発明の詳細な説明】
【技術分野】
【０００１】
本発明は、内部の温度管理を行う建造物に関する。
【背景技術】
【０００２】
使用により発熱する電子機器等や常温で劣化する食品等の内容物は、収納具（例えば、キャビネットやラック）に収納されて冷房のきいた建造物（例えば、倉庫、コンテナ等）に配置されるのが一般的である（場合によっては冷房の設定温度を下げて冷凍される）。そして、冷却・冷凍等の温度調節を効果的に行うため、当該建造物の内壁の構造の工夫がこれまでなされてきた。
例えば、内容物を配置する建造物のすべての壁面（床、天井を含む）に断熱材を敷き詰めるとともに、Ｔ字レールで当該建造物の底面から当該内容物を浮かせて配置することで当該建造物の外界からの熱伝導を極力減少させ、さらに当該レールによって当該建造物の内部に配置される冷房装置からの冷気の流れを良くする構造が開発されている（特許文献１及び２参照）。
【先行技術文献】
【特許文献】
【０００３】
【特許文献１】特開２００３−９０６６０号公報
【特許文献２】特開２００１−２５３４９２号公報
【発明の概要】
【発明が解決しようとする課題】
【０００４】
しかし、特許文献１及び２に開示の構造は、上記内容物の下部にも冷気を送りこむことができるが、上記冷房装置は建造物の底面全体又は建造物という広い空間の全体に向けて冷気を送り込むため冷気が分散し、当該内容物を集中して冷却するには不十分な構成であった。
そこで、当該冷房装置の吹出口に例えばゴム管を接続して上記内容物に直接的に冷気を送り込むことも考えられるが、当該建造物とは別体のゴム管をわざわざ配置することは、取り扱いが煩雑になるのみならず、当該建造物に内容物を搬入・搬出等するユーザー等の動線の障害物となってユーザー等の怪我を誘発するなど、安全上の不都合が生じる恐れがある。
本発明は、かかる事情に鑑み成されたものであって、建造物と一体の壁面でありながら、上記内容物を集中的に温度管理することができる内壁構造を備えた建造物を提供することを目的とする。
【課題を解決するための手段】
【０００５】
本発明の建造物は、部屋を区画する壁と、前記壁と一体に配置され、且つ、第１の管状構造物と第２の管状構造物とを備えた内壁と、前記部屋に配置される空調装置と有し、前記第１の管状構造物は、前記部屋に配置される予定の第１の収納具の配置予定位置に第１の通気孔を備え、前記第１の管状構造物に前記空調装置から吹き込まれた気体が実質的に途中漏れなく前記第１の通気孔から吹き出され、前記第２の管状構造物は、前記部屋に配置される予定の第２の収納具の配置予定位置に第２の通気孔を備え、前記第２の管状構造物に前記空調装置から吹き込まれた気体が実質的に途中漏れなく前記第２の通気孔から吹き出されることを特徴とする。
【０００６】
これにより、壁と一体となった複数の管状構造物を通して、当該複数の管状構造物のそれぞれが対応する収納具の配置予定位置に、適宜、空調装置の吹き出す気体を集中的に導くことができる。
【発明の効果】
【０００７】
本発明によれば、建造物と一体の壁面でありながら、収納される内容物を集中的に温度管理することができる内壁構造を備えた建造物を提供することができる。
【図面の簡単な説明】
【０００８】
【図１】第１実施形態の建造物の模式図（斜視図）である。
【図２】図１の建造物の内壁構造を示す模式図である。すなわち、図２（ａ）は床のＸＹ平面を−Ｚ方向に見た平面図であり、図２（ｂ）はＡ−Ａ´線における建造物のＸＺ断面図であり、図２（ｃ）はＢ−Ｂ´線における建造物のＹＺ断面図である。
【図３】図１の建造物の変形例における内壁構造を示す模式図である。すなわち、図３（ａ）は当該変形例の床のＸＹ平面を−Ｚ方向に見た平面図であり、図３（ｂ）は当該変形例のＣ−Ｃ´線における建造物のＸＺ断面図であり、図３（ｃ）は当該変形例のＤ−Ｄ´線における建造物のＹＺ断面図である。
【図４】第２実施形態の建造物の内壁構造を示す模式図である。すなわち、図４（ａ）は本実施形態の建造物の床のＸＹ平面を−Ｚ方向に見た平面図であり、図４（ｂ）は本実施形態の建造物のＥ−Ｅ´線における建造物のＸＺ断面図であり、図４（ｃ）は本実施形態の建造物のＦ−Ｆ´線における建造物のＹＺ断面図である。
【発明を実施するための形態】
【０００９】
以下に実施形態を示す本発明の建造物は、当該建造物を密閉する壁の少なくとも一面に後述の管状構造物を複数配置した内壁を設置し、建造物の部屋に配置される空調装置の吹き出す気体を、複数の管状構造物の各々が、建造物内に配置される複数の収納具のうち対応する収納具の配置される予定の位置に、集中的且つ選択的に導いて吹き出させることを特徴としている。以下、図面を参照しながら、詳述する。
【００１０】
［第１実施形態］
図１は、第１実施形態の建造物１の構成を示す模式図である。また、図２は、図１の建造物の内壁構造を示す模式図である（図１で示す直交座標系を用いると、図２（ａ）は床のＸＹ平面を−Ｚ方向に見た平面図であり、図２（ｂ）はＡ−Ａ´線における建造物のＸＺ断面図であり、図２（ｃ）はＢ−Ｂ´線における建造物のＹＺ断面図である）。以下、図において座標系が記載される場合は、いずれも同一の直交座標系である。
【００１１】
本実施形態の建造物１は、建造物を形作るとともに建造物の内部（以下、部屋という）を区画し且つ当該部屋を扉（図示なし）とともに密閉する壁２（ここでは、一例として略直方体の建造物を示すので、当該直方体を形成する６面すべてに壁２が形成される。すなわち、ＸＹ平面をもつ２面、ＸＺ平面をもつ２面、及びＹＺ平面をもつ２面の計６面の壁２が形成されている。ただし、当該扉の配置される部分は除く。）と、壁２の少なくとも一面に壁２と一体に配置される内壁３とを備えている。内壁３は、壁２の部屋側に設置される。ここでは、６面の壁２のうち、内容物を部屋に配置した場合にその内容物の重力がかかることとなる壁２（以下、当該壁を床部分の壁という）に内壁３が配置されている。従って、ユーザーが部屋に入った際には、ユーザーにとって内壁３が事実上の床となる。壁２の材質は、金属製、木製、樹脂製等のいずれの材質でもよいが、部屋の温度管理を容易とするため、断熱材等が用いられた断熱壁であることが望ましい。
【００１２】
部屋には、部屋の温度を所定温度に保つため、冷房装置又は暖房装置等（除湿装置や乾燥装置も含む）の空調装置４が設置される。空調装置４は吸込口と吹出口を備え、吸込口が部屋に充満する気体（例えば、空気）を吸い込み、適宜温度調節した上、吹出口から当該温度調節した気体を部屋へ吹き出す構成である。当該構成であれば、部屋に据え置かれるものに限らず、部屋の壁２に埋め込まれるものや、部屋の外部に配置されるものでもよい。
図１及び図２では、空調装置４は、上記ＹＺ平面をもつ２つの壁２のうち−Ｘ側の壁２に部屋の中から接し且つＸＹ平面をもつ２つの壁２のうち−Ｚ側の壁２に配置された内壁３に接して据え置かれている。ここでは、空調装置４の吹出口は空調装置４の配置位置の下方全面に配置され、そこから吹き出される気体は−Ｙ方向に吹き出される構成として説明する。もちろん、後述の管状構造物の中に上記気体を流す構成であれば、空調装置４の配置や吹出口の方向等は適宜変更可能である。さらに、吹出口から吹き出される気体の全てが内壁３となる管状構造物（後述）に形成される通風孔９へ集中的に効率良く吹き込まれるように、上記全面に配置された吹出口の向きを適宜調節等することができる。
【００１３】
また、部屋には、部屋内に保管又は部屋内で動作させる内容物５を複数収納した多段の収納具６が配置されている。
図１及び図２では、上記ＸＺ平面をもつ２つの壁２のうち＋Ｙ側の壁２に部屋の中から接し且つ内壁３に接して据え置かれている３つの収納具６（６ａ、６ｂ、６ｃ）と、上記ＸＺ平面をもつ２つの壁２のうち−Ｙ側の壁２に部屋の中から接し且つ内壁３に接して据え置かれている３つの収納具６（６ｄ、６ｅ、６ｆ）の計６つの収納具６が部屋内に配置されている。
多段の収納具６は、その最下段付近で収納具６の外部から入った空気等の気体がその最上段まで流れ且つ当該最上段付近から収納具６の外部へ出ることが可能な流路又はその逆の流路が形成されていれば、いかような形状または構成でもよい。当該構成により、収納具６の内部に収納される複数の内容物５の全てを実質的に均一の温度に調整することが容易となる。
【００１４】
内容物５には、発熱する電子機器等や常温では劣化する食品等のように冷房環境（もしくは冷凍環境）に配置されることが望ましいものや、高温または乾燥状態を維持させる必要がある木工品や乾燥食品等のような暖房環境に配置されることが望ましいものがありうる。従って、内容物５が冷房環境（もしくは冷凍環境）の望ましいものである場合には、空調装置４として冷房装置（もしくは冷凍装置）が配置され、内容物５が暖房環境（もしくは乾燥環境）の望ましいものである場合には、空調装置４として暖房装置（もしくは乾燥装置）が配置される。これら冷房環境や暖房環境での温度は、内容物５に適した一定の温度、すなわち恒温の状態が保たれるのが望ましい。
内容物５を、冷房環境が望ましいものから暖房環境が望ましいものへ、または暖房環境が望ましいものから冷房環境が望ましいものへと頻繁に入れ替える建造物の場合には、空調装置４として冷房も暖房も可能な冷暖房装置を用いてもよい。
以下では、一例として、内容物５は動作により発熱する電子機器、例えば組電池からなる電池モジュールとして説明するので、空調装置４も冷房装置として説明する。
【００１５】
図２を用いて、建造物１の内壁３の構造を詳細に説明する。図２（ａ）は内壁３を形成した床のＸＹ平面を−Ｚ方向に見た平面図であり、図２（ｂ）はＡ−Ａ´線における建造物のＸＺ断面図であり、図２（ｃ）はＢ−Ｂ´線における建造物のＹＺ断面図である。なお、図２のいずれの図においても、内壁３の説明を容易とするため、空調装置４と収納具６は図示せず、ただ、それらが配置される予定の位置（配置予定位置）を一点鎖線で示している。
なお、以下、図中の矢印は、空調装置４から吹き出された気体の流れを示している。
【００１６】
内壁３は、複数の管状構造物（後述）を壁２に配置して構成される。管状構造物は、略矩形の周囲を隙間なくなぞり且つその内側に空間を備えたＹＺ平面における断面形状をしており、その断面形状を長さ方向（Ｘ方向）に伸ばしたような管状の形状の構造物である。ここでは、図２（ａ）及び図２（ｃ）に示すように、実質的に同一形状の１２本の管状構造物７（７ａ〜７ｌ）が床部分の壁２に敷き詰められている。上述のとおり、当該管状構造物７が、ユーザーにとって事実上の床となる。
１つの管状構造物７に配置される収納具６の数をＮ（Ｎは１以上の整数）としたとき、収納具６の幅（Ｙ方向の寸法）に収まる管状構造物７の数（言い換えれば、収納具６の幅を横切って収納具６を支える管状構造物７の数）をｎ（ｎは１以上の整数）とすると、Ｎ≦ｎとなる。従って、ここでは、一例として、収納具６の幅は、管状構造物７の幅（Ｙ方向の寸法）の４つ分（Ｎ＝３、ｎ＝４）として説明する。
【００１７】
上述のとおり、上記ＸＺ平面をもつ２つの壁２のうち＋Ｙ側の壁２に部屋の中から接し且つ内壁３に接して据え置かれている第１群となる３つの収納具６（６ａ、６ｂ、６ｃ）と、上記ＸＺ平面をもつ２つの壁２のうち−Ｙ側の壁２に部屋の中から接し且つ内壁３に接して据え置かれている第２群となる３つの収納具６（６ｄ、６ｅ、６ｆ）が部屋に配置されている。
第１群となる３つの収納具６ａ、６ｂ、６ｃは、内壁３である４つの管状構造物７ａ、７ｂ、７ｃ、７ｄの上に据え置かれている。このうちの３つ、すなわち管状構造物７ａ、７ｂ、７ｃの各々には、空調装置４から気体が吹き込まれる通気孔９（９ａ、９ｂ、９ｃ）が形成されている。また、通気孔９から吹き込まれ且つ管状構造物７ａ、７ｂ、７ｃの内部を通過した気体を第１群となる３つの収納具６ａ、６ｂ、６ｃに吹き出すための通気孔８（８ａ、８ｂ、８ｃ）が、第１群の収納具６の各々に対応する管状構造物７ａ、７ｂ、７ｃにそれぞれ形成されている。ここで、１つの管状構造物７において、通気孔９から通気孔８までの内部で実質的に上記気体の漏れはないよう構成される。なお、それぞれの通気孔８ａ、８ｂ、８ｃの端部のうち通気孔９からより遠い端部の近辺には、第１群の収納具６の冷却の効果を高めるために粘土や樹脂等からなる封口材１０（１０ａ、１０ｂ、１０ｃ）が配置され、管状構造物７ａ、７ｂ、７ｃのそれぞれの内部、すなわち管状構造を塞いでいる。封口材１０は、板状の形状であってもよい。
言い換えれば、管状構造物７ａには、空調装置４の吹出口から気体を吹き込むための通気孔９ａと、当該吹き込まれた気体を管状構造物７ａの内部を実質的に漏れなく通過させた後に収納具６ａの直下から吹き出させるための通気孔８ａとが形成されている。なお、通気孔８ａよりも先（＋Ｘ方向）へは当該気体を誘導することは収納具６ａの冷却に効果的ではないことから、通気孔８ａの＋Ｘ方向側の端部近辺の管状構造物７ａの内部を封口材１０ａで塞いでいる。これにより、管状構造物７ａを通過した空調装置４からの気体は全て収納具６ａに集中的に吹き込まれることとなる。同様に、管状構造物７ｂには通気孔９ｂと通気孔８ｂと封口材１０ｂが、また、管状構造物７ｃには通気孔９ｃと通気孔８ｃと封口材１０ｃが形成されている。
【００１８】
また、第２群となる３つの収納具６ｄ、６e、６ｆは、内壁３である管状構造物７ｉ、７ｊ、７ｋ、７ｌの４つの上に据え置かれている。そして、これら４つの管状構造物７のうち３つは、第１群で述べたと同様に内壁３が構成されている。すなわち、管状構造物７ｊには通気孔９ｊと通気孔８ｊと封口材１０ｊが形成されて収納具６ｆを集中的に冷却し、また、管状構造物７ｋには通気孔９ｋと通気孔８ｋと封口材１０ｋが形成されて収納具６ｅを集中的に冷却し、さらに管状構造物７ｌには通気孔９ｌと通気孔８ｌと封口材１０ｌが形成されて収納具６ｄを集中的に冷却することができる。
【００１９】
以上のような管状構造物７からなる内壁３をもつ建造物を構成することにより、ユーザーから見れば建造物と一体の壁面でありながら、配置された収納具６を集中的に冷却することができるので、結果として収納具６に収納される内容物を集中的に冷却することができる。管状構造物７は、その内部に管状の空間を持ちながら収納具６等を支えることができるので、壁２からの熱伝導を極力抑えることができ、その冷却効果をより効果的なものとすることができる。
【００２０】
上述のように、収納具６等を支える場合には、管状構造物７は当該支えるに十分な強度をもつ材質とする必要がある。しかしながら、十分な強度が保てるのであれば、金属、樹脂等のいずれでもよい。用途により、壁２からの熱伝導をより少なくすることが求められる場合には、金属よりも強化プラスチック等の樹脂で管状構造物７を構成することが望ましい。
管状構造物７はそれ自体が１本の管となっている形状のものでもよい。また、複数の管状構造物７に相当する本数の管を設けて型で樹脂形成し、複数の管状構造物７が一体となった形状として形成してもよい。さらに、それ自体が１本の管となっているものと、複数の管状構造物７が一体として形成されたものを混在させて内壁３を形成してもよい。また、各管状構造物７の幅の寸法は、上記説明ではいずれも実質的に同じとしたが、幅の寸法が異なる管状構造物７を適宜使用してもよい。
さらに、内壁３とした際に管状構造物７が形成されればよいのであるから、特許文献１及び２に記載のような、壁２に所定幅で整列且つ配置された複数の床レール（Ｔ字型レール、ハット型レール等）の上に金属板、樹脂製板または木製板などを載せることで、管状構造物７を構成してもよい。
なお、管状構造物７による内壁３は、上記の説明では床部分の壁２に配置していたがこれに限定されるものではなく、空調装置４や収納具６の形状や配置により、適宜、他の壁２に配置してもよい。また、仕様変更容易とするために、複数面の壁２に予め管状構造物７による内壁３を形成してもよい。さらに、配置予定位置はあくまで予定の位置であって、ある配置予定位置には実際には収納具６が配置されない場合もありうる。
また、管状構造物７による内壁３が形成される建造物としては、部屋の温度管理（例えば所定の温度になるよう空調装置４が温度管理する）が求められる倉庫、船舶、航空機、列車、コンテナ、自動車の荷台等の建造物のいずれにも適用可能である。
【００２１】
以上の建造物の構成では、１つの収納具６の配置位置を横断する複数の管状構造物７のうち、１つの管状構造物７のみから１つの収納具６を冷却する気体が導入されていたが、より冷却効果を高めるには当該複数の管状構造物７のうち１つのみではなく２つ以上の管状構造物７から冷気等の気体を導入することも考えられる。そこで、第１実施形態の建造物の変形例を図３に示す。
図３では、１つの収納具６に対し複数の管状構造物７から気体を導入している。さらに、複数の収納具６のそれぞれに気体を導入する管状構造物７の数は同数として、各収納具６の冷却を実質的に互いに均等とするよう構成される。ただし、１つの管状構造物７に複数の収納具６に向けた複数の通気孔を形成することは冷却効率を下げることにつながるため、依然として１つの管状構造物７の１つの通気孔９から吹き込まれた気体は途中で実質的に漏れることなくただ１つの通気孔８から吹き出されるよう構成されている。
なお、第１実施形態のみならず本変形例においても、空調装置４の吹き出し能力又は冷却能力が高い場合には、１つの管状構造物７に２つ程度の収納具６に向けた複数の通気孔を形成して、空調装置４から当該管状構造物７に吹き入れた気体を当該複数の通気孔のそれぞれに分けて当該複数の通気孔から吹き出す構成としてもよい。ただし、当該通気孔の数が増えれば増えるほど、１つの管状構造物７の当該複数の通気孔のそれぞれから吹き出される気体の流量及び吹き出し速度が変化して、各収納具６を実質的に均等に冷却することが困難となるため、吹き入れた当該気体を分散して排出する多数の当該通気孔を形成してはならない。
【００２２】
以下、当該変形例につき図３を用いて詳述する。図１で示す直交座標系を用いると、図３（ａ）は床のＸＹ平面を−Ｚ方向に見た平面図であり、図３（ｂ）はＣ−Ｃ´線における建造物のＸＺ断面図であり、図３（ｃ）はＤ−Ｄ´線における建造物のＹＺ断面図である。図３において、図１及び図２と同一構成については同一の番号を付して説明を省略する。また、図３（ａ）では、理解促進のため、図２（ａ）の収納具６ａ、６ｂ、６ｅの一点鎖線を記載していないが、依然としてこれらの収納具６は適宜配置されるとして説明する。
図３では、１つの管状構造物７に配置される収納具６の数をＮ（Ｎは１以上の整数）としたとき、収納具６の幅に収まる管状構造物７の数（言い換えれば、収納具６の幅を横切って収納具６を支える管状構造物７の数）をｎ（ｎは１以上の整数）とすると、Ｎ≦ｎであって、且つ、当該収納具６を支える管状構造物７の数より（２×Ｎ−ｎ）の数だけ管状構造物７を追加で必要とする。
【００２３】
そこで、第１群の３つの収納具６ａ、６ｂ、６ｃを冷却するために、６つの管状構造物７ａ〜７ｆが用いられる。管状構造物７ａ〜７ｃについては、図２と同様の構成である。
第１群において大きく異なる点の１つは、管状構造物７ａ〜７ｃと同じく収納具６ａ、６ｂ、６ｃを支える管状構造物７ｄもこれら収納具６に気体を吹き込むために用いられる点であり、さらにこの管状構造物７ｄには、３つの収納具６ａ、６ｂ、６ｃのそれぞれに気体を吹き込むための通気孔８ｄ−１、８ｄ−２、８ｄ−３を設けている点である。
【００２４】
まず、管状構造物７ｄには、管状構造物７ｃと同様に、通気孔９ｄと通気孔８ｄ−１と封口材１０ｄ−１が形成されている。これにより、収納具６ｃにおいては、管状構造物７ｃの通気孔９ｃから吹き込まれて実質的に途中漏れなく流れ且つ通気孔８ｃから吹き出された気体と、管状構造物７ｄの通気孔９ｄから吹き込まれて実質的に途中漏れなく流れ且つ通気孔８ｄ−１から吹き出された気体とにより冷却が行われる。
【００２５】
また、管状構造物７ｄには、収納具６ｂの配置される位置に、管状構造物７ｂの通気孔８ｂ及び封口材１０ｂと同様の配置及び構成の通気孔８ｄ−２及び封口材１０ｄ−３がさらに形成されている。そして、管状構造物７ｄの隣に配置される管状構造物７ｅから通気孔８ｄ−２へ空調装置４の吹き出す気体を導くため、管状構造物７ｅには管状構造物７ｄの通気孔９ｄ及び封口材１０ｄ−３と同様の配置及び構成の通気孔９ｅ及び封口材１０ｅ−１が形成され、さらに通気孔８ｄ−２の付近において、管状構造物７ｄと管状構造物７ｅとの境を形成する管壁がＹ方向に互いに貫通されている。これにより、収納具６ｂにおいては、管状構造物７ｂの通気孔９ｂから吹き込まれて実質的に途中漏れなく流れ且つ通気孔８ｂから吹き出された気体と、管状構造物７ｅの通気孔９ｅから吹き込まれて実質的に途中漏れなく流れ且つ管状構造物７ｄの通気孔８ｄ−２から吹き出された気体とにより冷却が行われる。なお、このとき、管状構造物７ｄにおいて通気孔８ｄ−２から封口材１０ｄ−１までの距離が大きい場合には、冷却効果を高めるために、通気孔８ｄ−２を封口材１０ｄ−３とで挟み込むような通気孔８ｄ−２に近接した位置に封口材１０ｄ−２を配置し、管状構造物７ｄの内部を塞ぐとよい。
【００２６】
さらに、管状構造物７ｄには、収納具６ａの配置される位置に、管状構造物７ａの通気孔８ａ及び封口材１０ａと同様の配置及び構成の通気孔８ｄ−３及び封口材１０ｄ−５がさらに形成されている。そして、管状構造物７ｄの２つ隣に配置される管状構造物７ｆから通気孔８ｄ−３へ空調装置４の吹き出す気体を導くため、管状構造物７ｆには管状構造物７ｄの通気孔９ｄと同様の配置及び構成の通気孔９ｆが形成され、さらに通気孔８ｄ−３の付近において、管状構造物７ｄと管状構造物７ｆおよびこれらの間に介在する管状構造物７ｅとの境を形成する管壁がＹ方向に互いに貫通されている。この貫通された部分の端部のうち最も＋Ｘ側の端部の近辺には、管状構造物７ｅの内部にこれまでの封口材と同様の構成の封口材１０ｅ−３が、また、管状構造物７ｆの内部に封口材１０ｅ−３と同様の配置及び構成の封口材１０ｆが配置されて、これらの内部を塞いでいる。これにより、収納具６ａにおいては、管状構造物７ａの通気孔９ａから吹き込まれて実質的に途中漏れなく流れ且つ通気孔８ａから吹き出された気体と、管状構造物７ｆの通気孔９ｆから吹き込まれて実質的に途中漏れなく流れ且つ管状構造物７ｄの通気孔８ｄ−３から吹き出された気体とにより冷却が行われる。なお、このとき、管状構造物７ｄにおいて通気孔８ｄ−３から封口材１０ｄ−３までの距離が大きい場合には、冷却効果を高めるために、通気孔８ｄ−３を封口材１０ｄ−５とで挟み込むような通気孔８ｄ−３に近接した位置に封口材１０ｄ−４を配置して管状構造物７ｄの内部を塞ぎ、且つ、管状構造物７ｅの内部に封口材１０ｄ−４と同様の配置及び構成の封口材１０ｅ−２を配置して管状構造物７ｅの内部を塞ぐとよい。
【００２７】
また、第２群となる３つの収納具６ｄ、６e、６ｆは、内壁３である管状構造物７ｉ、７ｊ、７ｋ、７ｌの４つの上に据え置かれている。そして、これら４つの管状構造物７のうち３つは、第１群で述べたと同様に内壁３が構成されている。すなわち、図３（ａ）において、図３に示す各部分（管壁を貫通した部分も含む）は、管状構造物７ｆと管状構造物７ｇの境を形成する管壁を中心に線対称の構成となっている。
このため、当該各部分の配置及び構成は、管状構造物７ｆの通気孔９ｆ及び封口材１０ｆはそれぞれ管状構造物７ｇの通気孔９ｇ及び封口材１０ｇに対応し、管状構造物７eの通気孔９ｅ及び封口材１０e−１〜１０e−３はそれぞれ管状構造物７ｈの通気孔９ｈ及び封口材１０ｈ−１〜１０ｈ−３に対応し、管状構造物７ｄの通気孔９ｄと通気孔８ｄ−１〜８ｄ−３及び封口材１０ｄ−１〜１０ｄ−５はそれぞれ管状構造物７iの通気孔９iと通気孔８i−１〜８i−３及び封口材１０i−１〜１０i−５に対応している。
従って、収納具６ｆにおいては、管状構造物７ｊの通気孔９ｊから吹き込まれて実質的に途中漏れなく流れ且つ通気孔８ｊから吹き出された気体と、管状構造物７iの通気孔９iから吹き込まれて実質的に途中漏れなく流れ且つ通気孔８i−１から吹き出された気体とにより冷却が行われる。
また、収納具６ｅにおいては、管状構造物７ｋの通気孔９ｋから吹き込まれて実質的に途中漏れなく流れ且つ通気孔８ｋから吹き出された気体と、管状構造物７ｈの通気孔９ｈから吹き込まれて実質的に途中漏れなく流れ且つ管状構造物７iの通気孔８i−２から吹き出された気体とにより冷却が行われる。
さらに、収納具６ｄにおいては、管状構造物７ｌの通気孔９ｌから吹き込まれて実質的に途中漏れなく流れ且つ通気孔８ｌから吹き出された気体と、管状構造物７ｇの通気孔９ｇから吹き込まれて実質的に途中漏れなく流れ且つ管状構造物７ｉの通気孔８ｉ−３から吹き出された気体とにより冷却が行われる。
【００２８】
［第２実施形態］
図４は、第２実施形態の建造物における内壁構造を示す模式図である。図４（ａ）は本実施形態の建造物の床のＸＹ平面を−Ｚ方向に見た平面図であり、図４（ｂ）は本実施形態の建造物のＥ−Ｅ´線における建造物のＸＺ断面図であり、図４（ｃ）は本実施形態の建造物のＦ−Ｆ´線における建造物のＹＺ断面図である。当該建造物の模式図は、図１と同様であるので同一の座標系を用いて説明する。また、第１実施形態の建造物と同一構成については同一番号を付して説明を省略する。さらに、図４の構成で用いる封口材は第１実施形態で用いた封口材と同様の材質としてよい。
第１実施形態の建造物との大きな相違点の１つは、内壁３を構成する管状構造物７がＺ方向に積層されている点である。第１群と第２群では同様の構成であるので、ここでは代表的に第２群となる３つの収納具６ｄ、６ｅ、６ｆが据え置かれることになる内壁３の構成につき説明する。
【００２９】
第２群となる３つの収納具６ｄ、６ｅ、６ｆは、内壁３である３つの管状構造物７ｍ、７ｎ、７ｏの上に据え置かれている。より詳細には、床部分の壁２の上に管状構造物７ｏが配置され、管状構造物７ｏの上に管状構造物７ｎが配置され、管状構造物７ｎの上に管状構造物７ｍが配置され、管状構造物７ｍの上に３つの収納具６ｄ、６ｅ、６ｆが配置されることになる。
かように３つの管状構造物７ｍ、７ｎ、７ｏが積層された積層型であるものの、１つの管状構造物７に空調装置４から吹き込まれた気体が途中漏れなく１つの収納具６に導かれる点は第１実施形態およびその変形例の建造物と同様である。また、１つの管状構造物７に配置される収納具６の数をＮ（Ｎは１以上の整数）としたとき、収納具６の幅に収まる管状構造物７の数（言い換えれば、収納具６の幅を横切って収納具６を支える管状構造物７の数）をｎ（ｎは１以上の整数）とすると、Ｎ≦ｎとなる点も同じである。そこで、図４では、当該不等式を満たすよう、一例として、３つの収納具６ｄ、６ｅ、６ｆに対して３つの管状構造物７ｍ、７ｎ、７ｏを配置している。
【００３０】
では、３つの管状構造物７ｍ、７ｎ、７ｏが積層された積層型の内壁３の構成を詳述する。まず、空調装置４の吹き出す気体をこれら３つのいずれの管状構造物７にも吹き込むために、管状構造物７ｍに形成された通気孔９ｍと、通気孔９ｍとＸＹ平面で配置及び形状を同じくし且つ管状構造物７ｍと管状構造物７ｎとの境を形成する管壁がＺ方向に互いに貫通して形成された通気孔９ｎと、通気孔９ｎとＸＹ平面で配置及び形状を同じくし且つ管状構造物７ｎと管状構造物７ｏとの境を形成する管壁がＺ方向に互いに貫通して形成された通気孔９ｏとが設けられている。
【００３１】
そして、管状構造物７ｍには、通気孔９ｍから吹き込まれた気体を管状構造物７ｍの内部を実質的に漏れなく通過させた後に収納具６ｆの直下から吹き出させるための通気孔８ｍ−１がさらに形成されている。なお、通気孔８ｍ−１よりも先（＋Ｘ方向）へは当該気体を誘導することは収納具６ｆの冷却に効果的ではないことから、通気孔８ｍ−１の＋Ｘ方向側の端部近辺の管状構造物７ｍの内部を封口材１０ｍで塞いでいる。これにより、管状構造物７ｍを通過した空調装置４からの気体は全て収納具６ｆに集中的に吹き込まれることとなる。
【００３２】
また、管状構造物７ｍには、通気孔９ｎから吹き込まれた気体を管状構造物７ｎの内部を実質的に漏れなく通過させた後に収納具６ｅの直下から吹き出させるための通気孔８ｍ−２が形成されている。そして、通気孔８ｍ−２とＸＹ平面で配置及び形状を同じくし且つ管状構造物７ｍと管状構造物７ｎとの境を形成する管壁がＺ方向に互いに貫通して形成された通気孔８ｎ−１も設けられている。なお、通気孔８ｎ−１よりも先（＋Ｘ方向）へは当該気体を誘導することは収納具６ｅの冷却に効果的ではないことから、通気孔８ｎ−１の＋Ｘ方向側の端部近辺の管状構造物７ｍ及び７ｎの内部を封口材１０ｎで塞いでいる。これにより、管状構造物７ｎを通過した空調装置４からの気体は全て収納具６ｅに集中的に吹き込まれることとなる。
【００３３】
さらに、管状構造物７ｍには、通気孔９ｏから吹き込まれた気体を管状構造物７ｏの内部を実質的に漏れなく通過させた後に収納具６ｄの直下から吹き出させるための通気孔８ｍ−３が形成されている。そして、通気孔８ｍ−３とＸＹ平面で配置及び形状を同じくし且つ管状構造物７ｍと管状構造物７ｎとの境を形成する管壁がＺ方向に互いに貫通して形成された通気孔８ｎ−２及び通気孔８ｎ−２とＸＹ平面で配置及び形状を同じくし且つ管状構造物７ｎと管状構造物７ｏとの境を形成する管壁がＺ方向に互いに貫通して形成された通気孔８ｏも設けられている。なお、通気孔８ｏよりも先（＋Ｘ方向）へは当該気体を誘導することは収納具６ｄの冷却に効果的ではないことから、通気孔８ｏの＋Ｘ方向側の端部近辺の管状構造物７ｍ〜７ｏのそれぞれの内部を封口材１０ｏで塞いでいる。これにより、管状構造物７ｏを通過した空調装置４からの気体は全て収納具６ｄに集中的に吹き込まれることとなる。
このとき、管状構造物７ｍにおいて通気孔８ｍ−２から封口材１０ｍまでの距離が大きい場合には、冷却効果を高めるために、通気孔８ｍ−２を封口材１０ｎとで挟み込むような通気孔８ｍ−２に近接した位置に封口材１０ｍ−１を配置し、管状構造物７ｍの内部を塞ぐとよい。また、同様に、管状構造物７ｍにおいて通気孔８ｍ−３から封口材１０ｎまでの距離が大きい場合には、冷却効果を高めるために、通気孔８ｍ−３を封口材１０ｏとで挟み込むような通気孔８ｍ−２に近接した位置に封口材１０ｎ−１を配置し、管状構造物７ｍ及び７ｎのそれぞれの内部を塞ぐとよい。
【００３４】
以上のとおり、第１及び第２の実施形態、さらには変形例の建造物によれば、建造物の内壁構造が複数の管状構造物を配置した構成であるため、建造物と一体の壁面でありながら、空調装置４から吹き出される気体を、収納具６に収納される内容物５へ効果的に誘導して集中的に冷却することができる。
なお、本発明は上述した実施形態およびその変形例に限定されず、本発明の趣旨を逸脱しない限りで種々の変形が可能である。
例えば、空調装置４から吹き出す気体は冷気であるとして説明したが、内容物５によっては暖気であってもよい。また、当該気体も、空気に限らず、内容物によっては不活性ガス等としてもよい。空調装置４に図示しない消化装置を加え、内容物５が発火等した場合に当該消化装置から消化ガスを噴出し、当該空調装置４から管状構造物へ当該消化ガスを吹き出す構成とすれば、収納具６へ集中的に当該消化ガスを導くことができるので、効果的に消化が可能となる。
さらに、内壁は床部分の壁２に配置していたが、空調装置４の配置位置や収納具６の配置位置によって、他の壁２の面に内壁を適宜配置してもよい。
【符号の説明】
【００３５】
１・・・建造物、２・・・壁、３・・・内壁、４・・・空調装置、５・・・内容物、
６（６ａ〜６ｆ）・・・収納具、７（７ａ〜７ｏ）・・・管状構造物、
８（８ａ、８ｂ、８ｃ、８ｄ、８ｉ、８ｊ、８ｋ、８ｌ、８ｍ、８ｎ、８ｏ）・・・収納具用通気孔、
９（９ａ〜９ｏ）・・・空調装置用通気孔、
１０（１０ａ〜１０ｏ）・・・封口材、
【図１】
2012112626.tif 000003
【図２】
2012112626.tif 000004
【図３】
2012112626.tif 000005
【図４】
2012112626.tif 000006